(57)【要約】【課題】  被保護者が通信用装置を所持しなくとも、被保護者の保護に関して迅速な対応をとることができる被保護者情報管理装置等を提供する。【解決手段】  情報管理装置１は、被保護者の画像と保護者のメールアドレス（連絡先メールアドレス）とが対応付けて登録されているデータベースを有し、被保護者の画像を撮影し、撮影された被保護者の画像と合致する被保護者の画像をデータベースから検索し、検索された被保護者の画像に対応付けて登録されている連絡先メールアドレスを特定する。そして、情報管理装置１は、特定された連絡先メールアドレスに対して、被保護者が保護された旨の電子メールを送信する。保護者の携帯端末４は、保護者のメールアドレス宛の通知データを受信して表示等する。【選択図】  図１
2005301677.tif 000002
【特許請求の範囲】
【請求項１】
被保護者の画像と保護者の連絡先に関する連絡先情報とが対応付けて登録されているデータベースと、
被保護者の画像を撮影する撮影手段と、
前記撮影手段により撮影された被保護者の画像と合致する被保護者の画像を、前記データベースから検索する手段と、
前記データベースにおいて、前記検索された被保護者の画像に対応付けて登録されている連絡先情報を特定する手段と、
前記特定された連絡先情報に基づいて被保護者が保護された旨の通知データを送信する手段と、
を備えることを特徴とする被保護者情報管理装置。
【請求項２】
被保護者の画像と保護者の連絡先に関する連絡先情報とが対応付けて登録されているデータベースと、
保護者の連絡先の情報の入力を受け付ける手段と、
前記入力された連絡先の情報と合致する連絡先情報を前記データベースから検索する手段と、
前記データベースにおいて、前記検索された連絡先情報に対応付けて登録されている被保護者の画像を特定する手段と、
前記特定された被保護者の画像データを出力する出力手段と、
を備えることを特徴とする被保護者情報管理装置。
【請求項３】
被保護者の画像と保護者の画像とが対応付けられているデータベースと、
保護者の画像を撮影する手段と、
前記撮影された保護者の画像と合致する保護者の画像を前記データベースから検索する手段と、
前記データベースにおいて、前記検索された保護者の画像に対応付けて登録されている被保護者の画像を特定する手段と、
前記特定された被保護者の画像データを出力する出力手段と、
を備えることを特徴とする被保護者情報管理装置。
【請求項４】
前記出力手段は、前記特定された被保護者の画像データを電子メールにより携帯端末に送信する手段と、前記特定された被保護者の画像データを、画像データを受信してディスプレイ装置に表示する情報掲示装置に送信する手段と、の少なくとも一方を含む、
ことを特徴とする請求項２又は３に記載の被保護者情報管理装置。
【請求項５】
被保護者と保護者を含むグループを撮影する手段と、
前記撮影されたグループの画像から被保護者の画像と保護者の画像を特定する手段と、
前記特定された被保護者の画像と保護者の画像を前記グループの画像から抽出して前記データベースに登録する手段と、
をさらに備えることを特徴とする請求項１乃至３のいずれか１項に記載の被保護者情報管理装置。
【請求項６】
コンピュータに、
被保護者の撮影画像を取得する撮影画像取得機能、
前記撮影画像取得機能により取得された被保護者の画像と合致する被保護者の画像を、被保護者の画像と保護者の連絡先に関する連絡先情報とが対応付けて登録されているデータベースから検索する機能、
前記データベースにおいて、前記検索された被保護者の画像に対応付けて登録されている連絡先情報を特定する機能、
前記特定された連絡先情報に基づいて被保護者が保護された旨の通知データを送信する機能、
を実現させるためのプログラム。
【請求項７】
コンピュータに、
保護者の連絡先の情報の入力を受け付ける機能、
前記入力された連絡先の情報と合致する連絡先情報を、被保護者の画像と保護者の連絡先に関する連絡先情報とが対応付けて登録されているデータベースから検索する機能、
前記データベースにおいて、前記検索された連絡先情報に対応付けて登録されている被保護者の画像を特定する機能、
前記特定された被保護者の画像データを出力する機能、
を実現させるためのプログラム。
【請求項８】
コンピュータに、
保護者の画像を撮影する機能、
前記撮影された保護者の画像と合致する保護者の画像を、被保護者の画像と保護者の画像とが対応付けられているデータベースから検索する機能、
前記データベースにおいて、前記検索された保護者の画像に対応付けて登録されている被保護者の画像を特定する機能、
前記特定された被保護者の画像データを出力する機能、
を実現させるためのプログラム。
【発明の詳細な説明】
【技術分野】
【０００１】
この発明は、迷子等の被保護者の保護に関する各種処理を行う被保護者情報管理装置等に関する。
【背景技術】
【０００２】
従来、迷子等の被保護者の保護に関するシステムの一例として、被保護者に通信装置を所持させて、被保護者の現在の居場所等を検索するシステムがある。
【０００３】
また、例えば、迷子等が保護された場合に、迷子等が携帯している通信補助装置を携帯電話機に接続することにより保護者の携帯電話機の電話番号に対して自動発呼するシステムもある。
【特許文献１】特開２００３−２３４８４６号公報（第４頁、第１図）
【発明の開示】
【発明が解決しようとする課題】
【０００４】
しかしながら、上記のようなシステムでは、迷子等が通信用装置を必ず所持していなければならなかった。このため、通信用装置を所持しない迷子等については、迷子等が保護されたり、迷子等の届出がなされたりした場合に、迷子等の保護に関して迅速な対応をとることができなかった。
【０００５】
本発明は、上記実状に鑑みてなされたものであり、被保護者が通信用装置を所持しなくとも、被保護者の保護に関して迅速な対応をとることができる被保護者情報管理装置等を提供することを目的とする。
また、本発明は、被保護者が保護された場合に、早急に保護者に連絡することができる被保護者情報管理装置等を提供することを他の目的とする。
また、本発明は、迷子等の届出がなされた場合に、迷子等の迅速な捜索を可能とする被保護者情報管理装置等を提供することを他の目的とする。
【課題を解決するための手段】
【０００６】
上記目的を達成するため、この発明の第１の観点に係る被保護者情報管理装置は、
被保護者の画像と保護者の連絡先に関する連絡先情報とが対応付けて登録されているデータベースと、
被保護者の画像を撮影する撮影手段と、
前記撮影手段により撮影された被保護者の画像と合致する被保護者の画像を、前記データベースから検索する手段と、
前記データベースにおいて、前記検索された被保護者の画像に対応付けて登録されている連絡先情報を特定する手段と、
前記特定された連絡先情報に基づいて被保護者が保護された旨の通知データを送信する手段と、
を備えることを特徴とする。
【０００７】
また、この発明の第２の観点に係る被保護者情報管理装置は、
被保護者の画像と保護者の連絡先に関する連絡先情報とが対応付けて登録されているデータベースと、
保護者の連絡先の情報の入力を受け付ける手段と、
前記入力された連絡先の情報と合致する連絡先情報を前記データベースから検索する手段と、
前記データベースにおいて、前記検索された連絡先情報に対応付けて登録されている被保護者の画像を特定する手段と、
前記特定された被保護者の画像データを出力する出力手段と、
を備えることを特徴とする。
【０００８】
また、この発明の第３の観点に係る被保護者情報管理装置は、
被保護者の画像と保護者の画像とが対応付けられているデータベースと、
保護者の画像を撮影する手段と、
前記撮影された保護者の画像と合致する保護者の画像を前記データベースから検索する手段と、
前記データベースにおいて、前記検索された保護者の画像に対応付けて登録されている被保護者の画像を特定する手段と、
前記特定された被保護者の画像データを出力する出力手段と、
を備えることを特徴とする。
【０００９】
前記出力手段は、被保護者の画像データを電子メールにより携帯端末に送信する手段と、被保護者の画像データを、画像データを受信してディスプレイ装置に表示する情報掲示装置に送信する手段と、の少なくとも一方を含んでもよい。
【００１０】
被保護者と保護者を含むグループを撮影する手段と、
前記撮影されたグループの画像から被保護者の画像と保護者の画像を特定する手段と、
前記特定された被保護者の画像と保護者の画像を前記グループの撮影画像から抽出して前記データベースに登録する手段と、
をさらに備えてもよい。
【００１１】
また、この発明の第４の観点に係るプログラムは、
コンピュータに、
被保護者の撮影画像を取得する撮影画像取得機能、
前記撮影画像取得機能により取得された被保護者の画像と合致する被保護者の画像を、被保護者の画像と保護者の連絡先に関する連絡先情報とが対応付けて登録されているデータベースから検索する機能、
前記データベースにおいて、前記検索された被保護者の画像に対応付けて登録されている連絡先情報を特定する機能、
前記特定された連絡先情報に基づいて被保護者が保護された旨の通知データを送信する機能、
を実現させるためのものである。
【００１２】
また、この発明の第５の観点に係るプログラムは、
コンピュータに、
保護者の連絡先の情報の入力を受け付ける機能、
前記入力された連絡先の情報と合致する連絡先情報を、被保護者の画像と保護者の連絡先に関する連絡先情報とが対応付けて登録されているデータベースから検索する機能、
前記データベースにおいて、前記検索された連絡先情報に対応付けて登録されている被保護者の画像を特定する機能、
前記特定された被保護者の画像データを出力する機能、
を実現させるためのものである。
【００１３】
また、この発明の第６の観点に係るプログラムは、
コンピュータに、
保護者の画像を撮影する機能、
前記撮影された保護者の画像と合致する保護者の画像を、被保護者の画像と保護者の画像とが対応付けられているデータベースから検索する機能、
前記データベースにおいて、前記検索された保護者の画像に対応付けて登録されている被保護者の画像を特定する機能、
前記特定された被保護者の画像データを出力する機能、
を実現させるためのものである。
【発明の効果】
【００１４】
請求項１によれば、被保護者が保護された場合に、保護された被保護者の画像に対応する連絡先情報を特定することにより、早急に保護者に連絡することができる。また、請求項２によれば、迷子等の届出がなされた場合に、入力された連絡先の情報に対応する被保護者の画像を特定して出力することにより、迷子等の迅速な捜索が可能となる。また、請求項３によれば、迷子等の届出がなされた場合に、届出を行った保護者の画像に対応する被保護者の画像を特定して出力することにより、迷子等の迅速な捜索が可能となる。
【発明を実施するための最良の形態】
【００１５】
以下、本発明の実施形態に係る被保護者情報管理システムについて図面を参照して説明する。なお、本実施形態では、被保護者が子供であって、施設等に入場して迷子になった被保護者（子供等）を保護した場合に保護者に通知を行うシステムを例に説明する。
本発明の実施形態に係る被保護者情報管理システムの構成例を図１に示す。図示されるように、被保護者情報管理システムは、情報管理装置１と、情報掲示装置２と、係員の携帯端末３と、保護者の携帯端末４と、を備え、これらは、ネットワーク１０を介して接続されている。ネットワーク１０は、例えば、インターネット、専用線、公衆回線網、移動体通信網、無線通信網等を含む。
【００１６】
情報管理装置１は、例えば図２に示すように、本システム全体を管理するコンピュータから構成され、制御部１１と、記憶部１２と、表示部１３と、入力部１４と、撮影部１５と、印刷部１６と、通信制御部１７と、を備える。
【００１７】
制御部１１は、ＣＰＵ（Central Processing Unit）、ＲＯＭ（Read Only Memory）、ＲＡＭ（Random Access Memory）等から構成される。ＣＰＵは記憶部１２に記憶された動作プログラム等を読み出して実行することにより、後述する各種処理を行う。
【００１８】
記憶部１２は、制御部１１が実行する動作プログラム及び処理に必要な各種データ、施設の各係員のメールアドレス等を記憶する。
また、記憶部１２は、登録ＤＢ１２１、迷子届出ＤＢ１２２、迷子保護ＤＢ１２３、を備える。
登録ＤＢ１２１には、例えば図３に示すような、被保護者（子供等）の画像と保護者の画像と連絡先メールアドレス（保護者のメールアドレス等）と連絡先電話番号等のデータが関連付けられている登録情報が記憶される。
迷子届出ＤＢ１２２のは、例えば図４に示すような、迷子の届出がされた被保護者の画像と、保護者のメールアドレス等の連絡先情報と、のデータが関連付けられている迷子届出情報が記憶される。
迷子保護ＤＢ１２３は、例えば図５に示すような、保護された被保護者の画像と、保護者の画像と、のデータが関連付けられている迷子保護情報が記憶される。
【００１９】
表示部１３は、例えば、ディスプレイ装置等の表示装置から構成され、制御部１からの指示に従って各種画面等を出力する。
入力部１４は、例えば、キーボード、ポインティング・デバイス等の入力装置から構成され、入力データを制御部１１に送信する。
【００２０】
撮影部１５は、デジタルカメラ等からの撮影装置からなり、制御部１１からの指示等に従って画像の撮影を行う。
印刷部１６は、プリンタ等の印刷装置からなり、制御部１１からの指示に従って、撮影部１５により撮影された画像データ等を印刷する。
通信制御部１７は、制御部１１からの指示に従って、ネットワーク１０を介した他の装置との通信を制御する。
【００２１】
情報掲示装置２は、情報管理装置１の迷子届出ＤＢ１２２に登録された迷子の画像を表示するための装置であり、制御部と、表示部と、記憶部と、通信制御部と、を備える。
情報掲示装置２の制御部は、ＣＰＵ（Central Processing Unit）、ＲＯＭ（Read Only Memory）、ＲＡＭ（Random Access Memory）等から構成される。ＣＰＵは記憶部に記憶された動作プログラム等を読み出して実行することにより、通信制御部を介して情報管理装置１から迷子の画像データを受信し、受信した画像データを記憶部２３に記憶するとともに、表示部に表示する等の処理を行う。また、表示部は、ディスプレイ装置等の表示装置から構成され、制御部からの指示に従って各種データを表示する。また、記憶部は、制御部が実行する動作プログラム及び処理に必要な各種データ、情報管理装置１から受信した画像データ等を記憶する。また、通信制御部は、制御部による指示に従って、他の装置との間の通信を制御する。
【００２２】
なお、情報掲示装置２は迷子の情報を掲示するためのものであることから、そのディスプレイ装置は大型のものでもよく、また、複数の情報掲示装置２を設置して、各情報掲示装置２が情報管理装置１から迷子の画像データを受信してディスプレイ装置に表示するようにしてもよい。
【００２３】
係員の携帯端末３は、例えば、携帯電話機やＰＤＡ（Personal Digital Assistant）等を含み、制御部と記憶部と表示部と入力部と通信制御部等を備えるコンピュータから構成される。記憶部には動作プログラムや係員のメールアドレス等のデータが記憶され、制御部は記憶部の動作プログラム等を読み出して実行することにより、係員宛の電子メールをメールサーバから受信して記憶・表示等する。
【００２４】
保護者の携帯端末４は、例えば、携帯電話機やＰＤＡ（Personal Digital Assistant）等を含み、制御部と記憶部と表示部と入力部と通信制御部等を備えるコンピュータから構成される。記憶部には動作プログラムや保護者のメールアドレス等のデータが記憶され、制御部は記憶部の動作プログラム等を読み出して実行することにより、保護者宛の電子メールをメールサーバから受信して記憶・表示等する。
【００２５】
次に、本発明の実施形態に係る情報管理装置１の処理動作について説明する。
まず、例えば施設への入場時等の場面において、被保護者と保護者の画像等のデータを登録ＤＢ１２１に登録する登録処理について図６のフローチャートを参照して説明する。
【００２６】
制御部１１は、所定の入力操作（例えば表示部１３に表示した初期画面上の「登録」ボタンが押下される等）に応じて、登録メニュー画面を記憶部１２から読み出して表示部１３に表示し、この登録メニュー画面に対する入力を受け付ける（ステップＳ１）。ここで、登録メニュー画面は、例えば、「記念撮影」ボタンと「個人登録」ボタン等を含む。この被保護者情報管理システム１は、例えば、施設の入場者に対して入場記念撮影サービスを行うための機能を有しており、入場者に対してこのサービスを行う場合には、登録メニュー画面の「記念撮影」ボタンを押下し、また、入場者に対してこのサービスを行わない場合には、登録メニュー画面の「個人登録」ボタンを押下する。
【００２７】
制御部１１は、登録メニュー画面において「記念撮影」ボタンが押下されたと判別した場合（ステップＳ２：ＹＥＳ）、被保護者と保護者を含むグループを撮影対象とする記念撮影を行う（ステップＳ３）。具体的には、制御部１１が、撮影部１５に撮影の指示を送信し、これに応じて撮影部１５が例えば被保護者と保護者を含むグループを撮影対象とする記念撮影を行って、撮影画像を制御部１１に送る。制御部１１は、撮影部１５から撮影画像を受け取ってメモリ等に記憶する。
【００２８】
次に、制御部１１は、保護者の連絡先メールアドレス、連絡先電話番号等の入力画面を表示部１３に表示し、この入力画面に対する入力を入力部１４から受け付け、入力データをメモリに記憶する（ステップＳ４）。
また、制御部１１は、メモリ等に記憶された撮影画像を読み出し、印刷部１６に出力してプリントアウトする（ステップＳ５）。これにより入場記念サービスの画像が印刷される。
【００２９】
次に、制御部１１は、グループの撮影画像と、入力された連絡先メールアドレス、連絡先電話番号等のデータと、を用いて登録情報（図３参照）を生成し、登録ＤＢ１２１に記憶する（ステップＳ６）。具体的には、メモリ等からグループの撮影画像を読み出し、読み出した画像から各人物の画像を切り出す（抽出する）。各人物の画像の抽出方法は任意であり、例えば、制御部１１が、撮影画像から人の顔の特徴パターンを検出することにより顔の画像領域を認識し、認識した領域を切り出してもよく、また、操作者による入力部１４を用いた各人物の顔画像領域の指定入力を受け付け、指定された顔画像領域を切り出すようにしてもよい。そして、制御部１１は、抽出した各人物の画像を表示部１３に表示等して、被保護者の画像と保護者の画像をそれぞれ指定する入力を受け付けることにより、被保護者の画像と保護者の画像を特定する。そして、制御部１１は、連絡先メールアドレス、連絡先電話番号等のデータをメモリから読み出し、読み出した各データと、被保護者の画像と、保護者の画像と、を関連付けて登録情報を生成して登録ＤＢ１２１に記憶する。
【００３０】
また、ステップＳ２において「記念ボタン」が押下されたと判別されず（ステップＳ２：ＮＯ）、「個人登録ボタン」が押下されたと判別された場合（ステップＳ７：ＹＥＳ）、被保護者と保護者について個人別の撮影を行う（ステップＳ８）。具体的には、制御部１１が、撮影部１５に撮影の指示を送信し、これに応じて撮影部１５が例えば被保護者と保護者を個人別に撮影し、各撮影画像を制御部１１に送る。制御部１１は、撮影部１５から各撮影画像を受け取ってメモリ等に記憶する。
次に、制御部１１は、保護者の連絡先メールアドレス、連絡先電話番号等の入力画面を表示部１３に表示し、この入力画面に対する入力を入力部１４から受け付け、入力データをメモリに記憶する（ステップＳ９）。
【００３１】
次に、制御部１１は、被保護者の撮影画像と保護者の撮影画像と、入力された連絡先メールアドレス、連絡先電話番号等のデータと、を用いて登録情報（図３参照）を生成し、登録ＤＢ１２１に記憶する（ステップＳ１０）。具体的には、メモリ等から各撮影画像を読み出して表示部１３に表示等して、被保護者の画像と保護者の画像をそれぞれ指定する入力を受け付けることにより、被保護者の画像と保護者の画像を特定する。そして、制御部１１は、連絡先メールアドレス、連絡先電話番号等のデータをメモリから読み出し、読み出した各データと、被保護者の画像と、保護者の画像と、を関連付けて登録情報を生成して登録ＤＢ１２１に記憶する。
また、ステップＳ７で「個人登録ボタン」が押下されたと判別されない場合（ＮＯ）、フローはステップＳ１に移行する。
【００３２】
次に、迷子の保護や届出に関する迷子処理について図７を参照して説明する。
制御部１１は、所定の入力操作（例えば表示部１３に表示した初期画面上の「迷子」ボタンが押下される等）に応じて、迷子メニュー画面を記憶部１２から読み出して表示部１３に表示し、この迷子メニュー画面に対する入力を受け付ける（ステップＳ１１）。ここで、迷子メニュー画面は、例えば図８に示すように「迷子保護」ボタンと「迷子届出」ボタン等を含む。
例えば施設内で迷子となった被保護者が施設管理者等により保護された場面等では、「迷子保護」ボタンが押下される。「迷子保護」ボタンが押下されると（ステップＳ１２：ＹＥＳ）、制御部１１は迷子保護処理を実行する（ステップＳ１３）。
【００３３】
ここで迷子保護処理の詳細について図９のフローチャートを参照して説明する。
まず、制御部１１は、撮影部１５に撮影の指示を送信して、保護された人物（迷子）の画像を撮影部１５に撮影させ、撮影画像を撮影部１５から受信してメモリ等に記憶する（ステップＳ２１）。
次に、制御部１１は、ステップＳ２１で撮影された画像を検索キーとして、記憶部１２の迷子届出ＤＢ１２２を検索する（ステップＳ２２）。
次に、制御部１１は、検索結果に基づいて、検索キーの画像と合致する被保護者の画像が迷子届出ＤＢ１２２に登録されているかを判別し（ステップＳ２３）、登録されている場合（ＹＥＳ）、検索した画像に関連付けられる連絡先メールアドレスを迷子届出ＤＢ１２２から読み出す（ステップＳ２４）。そして、制御部１１は、ステップＳ２１で撮影された被保護者の画像を添付した電子メールのデータ（例えば、被保護者が保護されたことを通知する旨の本文データを含む）を生成し、読み出した連絡先メールアドレスを宛先に設定して送信する（ステップＳ２５）。これにより、保護者の携帯端末４は、保護者のメールアドレス宛の電子メールをメールサーバから受信して表示等する。
【００３４】
また、ステップＳ２３で、検索キーの画像と合致する画像が迷子届出ＤＢ１２２に登録されていないと判別された場合（ＮＯ）、制御部１１は、ステップＳ２１で撮影された画像を検索キーとして、これに合致する被保護者の画像について記憶部１２の登録ＤＢ１２１を検索する（ステップＳ２６）。
そして、検索結果に基づいて、検索キーの画像と合致する被保護者の画像が登録ＤＢ１２１に登録されているかを判別し、登録されている場合（ステップＳ２７：ＹＥＳ）、制御部１１は、登録ＤＢ１２１において、検索した被保護者の画像に関連付けられている連絡先メールアドレスが登録されているかを判別し（ステップＳ２８）、登録されている場合には（ＹＥＳ）、そのメールアドレス等を登録ＤＢ１２１から読み出す（ステップＳ２９）。そして、制御部１１は、ステップＳ２１で撮影された被保護者の画像を添付した電子メールのデータ（例えば、被保護者が保護されたことを通知する旨の本文データを含む）を生成し、読み出した連絡先メールアドレスを宛先に設定して送信する（ステップＳ２５）。
【００３５】
また、ステップＳ２８において、検索した画像に関連付けられる連絡先メールアドレスが登録ＤＢ１２１に登録されていない場合（ＮＯ）、制御部１１は、検索した被保護者の画像に関連付けられている保護者の画像が登録ＤＢ１２１に登録されているかを判別する（ステップＳ３０）。そして、保護者の画像が登録されている場合（ＹＥＳ）、その保護者の画像を登録ＤＢ１２１から読み出し、読み出した保護者の画像と、ステップＳ１３で撮影した被保護者の画像と、を関連付けて、迷子保護ＤＢ１２３に登録し（ステップＳ３１）、所定の完了メッセージ（例えば、保護された迷子の情報を登録しました等）を表示部１３に表示して（ステップＳ３２）、メインフロー（迷子処理）に戻る。
【００３６】
また、ステップＳ２７において、検索キーの画像と合致する画像が登録ＤＢ１２１に登録されていない場合（ＮＯ）や、ステップＳ３０において、検索した画像に関連付けられる保護者の画像が登録ＤＢ１２１に存在しない場合（ＮＯ）には、所定のエラーメッセージ（例えば、保護された迷子の情報は登録できませんでした等）を表示部１３に表示して（ステップＳ３３）、メインフロー（迷子処理）に戻る。
上述の迷子保護処理により、迷子が保護された場合に、迷子の画像に対応付けて登録されている保護者の連絡先情報を登録ＤＢ１２１から取得することができるため、保護者の連絡先を早急に特定して連絡することができる。
【００３７】
また、例えば施設内で迷子となった被保護者について保護者より迷子の届出あった場面等では、「迷子届出」ボタンが押下される。ステップＳ１１で表示された迷子メニュー画面において、「迷子届出」ボタンが押下されると（ステップＳ１２：ＮＯ、ステップＳ１４：ＹＥＳ）。制御部１１は、迷子届出処理を実行する（ステップＳ１５）。また、ステップＳ１４で「迷子届出」ボタンが押下されなかった場合（ステップＳ１４：ＮＯ）、例えばフローはステップＳ１１に戻る。
【００３８】
ここで迷子届出処理の詳細について図１０のフローチャートを参照して説明する。
制御部１１は、撮影部１５に撮影の指示を送信して、迷子の届出をした保護者の画像を撮影部１５に撮影させ、撮影画像を撮影部１５から受信してメモリ等に記憶する（ステップＳ４１）。
次に、制御部１１は、ステップＳ４１で撮影された保護者の画像を検索キーとして、記憶部１２の迷子保護ＤＢ１２３を検索する（ステップＳ４２）。
そして、制御部１１は、検索結果に基づいて、検索キーと合致する保護者の画像が迷子保護ＤＢ１２３に登録されているかを判別し（ステップＳ４３）、登録されている場合（ＹＥＳ）、制御部１１は、届出対象の被保護者が保護されている旨のメッセージ（保護中メッセージ）を表示し（ステップＳ４４）、メインフローに戻る。これにより、保護者は、迷子になった被保護者が既に施設の管理者等により保護されていることを知ることができる。
【００３９】
また、ステップＳ４３において、検索キーの保護者の画像と合致する画像が迷子保護ＤＢ１２３に登録されていない場合（ＮＯ）、制御部１１は、ステップＳ４１での撮影画像と合致する保護者の画像について、記憶部１２の登録ＤＢ１２１を検索し（ステップＳ４５）、検索結果に基づいて、撮影画像と合致する保護者の画像が登録ＤＢ１２１に登録されているかを判別する（ステップＳ４６）。
そして、該当する保護者の画像が登録ＤＢ１２１に登録されている場合（ステップＳ４６：ＹＥＳ）、制御部１１は、検索された保護者の画像に関連付けられている被保護者の画像が登録ＤＢ１２１に登録されているかを判別する（ステップＳ４７）。
【００４０】
そして、該当する被保護者の画像が登録ＤＢ１２１に登録されている場合には（ステップＳ４７：ＹＥＳ）、制御部１１は、検索された保護者の画像（又は、被保護者の画像でもよい）に関連付けられている連絡先メールアドレスが登録ＤＢ１２１に登録されているかを判別する（ステップＳ４８）。
そして、連絡先メールアドレスが登録されている場合には（ステップＳ４８：ＹＥＳ）、制御部１１は、その連絡先メールアドレスを登録ＤＢ１２１から読み出して取得し、メモリ等に記憶する（ステップＳ４９）。
次に、制御部１１は、登録ＤＢ１２１から検索した被保護者の画像と、取得した連絡先メールアドレスと、を関連付けて迷子届出１２３に登録する（ステップＳ５０）。
【００４１】
また、制御部１１は、登録ＤＢ１２１から検索した被保護者の画像を添付した電子メール（迷子の届出があった旨の本文データを含む）を生成し、記憶部１２に記憶されている各係員のメールアドレスに対して送信する（ステップＳ５１）。各係員の携帯端末３は、係員宛の電子メールをメールサーバから受信し、受信した電子メールの内容や電子メールに添付されている被保護者の画像等のデータを表示する。これにより、施設内の各係員に迷子の画像を供給することができる。
【００４２】
また、制御部１１は、登録ＤＢ１２１から検索した被保護者の画像データをネットワーク１０を介して情報掲示装置２に送信する（ステップＳ５２）。情報掲示装置２は、情報管理装置１からの被保護者の画像データを通信制御部２４を介して受信し、受信した画像データを記憶部２３に記憶するとともに表示部２２に表示する。これにより、施設内で迷子の画像を掲示することができる。
次に、制御部１１は、手配が完了した旨の手配完了メッセージを表示部１３に表示して（ステップＳ５３）、メインフロー（迷子処理）に戻る
【００４３】
また、ステップＳ４８において、連絡先メールアドレスが登録ＤＢ１２１に存在しない場合（ＮＯ）、制御部１１は、連絡先メールアドレスの入力を受け付けて、取得した入力データをメモリ等に記憶する（ステップＳ５４）。その後、ステップＳ５０に移行し、登録ＤＢ１２１から検索した被保護者の画像と、取得した連絡先メールアドレスと、を関連付けて迷子届出１２３に登録する。
【００４４】
また、ステップＳ４６において、撮影画像と合致する被保護者の画像が登録ＤＢ１２１に登録されていない場合、制御部１１は、連絡先メールアドレスの入力を受け付けて、入力された連絡先メールアドレスをメモリ等に記憶する（ステップＳ５５）。そして、制御部１１は、入力された連絡先メールアドレスを検索条件として登録ＤＢ１２１を検索し（ステップＳ５６）、検索結果に基づいて、入力された連絡先メールアドレスに合致する連絡先メールアドレスが登録ＤＢ１２１に登録されているかを判別し（ステップＳ５７）、登録されている場合（ＹＥＳ）、ステップＳ５０に移行して、登録ＤＢ１２１から検索した被保護者の画像と、取得した連絡先メールアドレスと、を関連付けて迷子届出１２３に登録する。
【００４５】
また、ステップＳ５７において、入力された連絡先メールアドレスに合致する連絡先メールアドレスが登録ＤＢ１２１に登録されていない場合には（ＮＯ）、制御部１１は、エラーメッセージを表示部１３に表示して（ステップＳ５８）、メインフロー（迷子処理）に戻る。
【００４６】
また、ステップＳ４７において、該当する被保護者の画像が登録ＤＢ１２１に登録されていない場合には（ステップＳ４７：ＮＯ）、エラーメッセージを表示部１３に表示して（ステップＳ５９）、メインフロー（迷子処理）に戻る。
【００４７】
上述の迷子届出処理により、迷子の届出がなされた場合に、保護者の画像に対応付けられている被保護者の画像を登録ＤＢ１２１から抽出することができるため、被保護者の画像を即座に取得して、その画像による迷子探索等が迅速に行える。
【００４８】
また、本発明は種々の変形及び応用が適用可能である。
例えば、複数の情報管理装置１を設け、各データベース（登録ＤＢ１２１、迷子届出ＤＢ１２２、迷子保護ＤＢ１２３）をネットワーク１０に接続可能なデータベースサーバ（図示せず）又はいずれかの情報管理装置１が有するようにし、複数の情報管理装置１が各データベースにアクセスして上記処理を行うようなシステム構成としてもよい。
また、被保護者は子供に限定されず、老人等でもよく、登録ＤＢ１２１に人物の画像を登録する際に任意に指定可能である。
また、保護者が迷子の届出を行う場合の迷子届出処理（図１０参照）において、上記実施形態では、保護者の撮影画像が登録ＤＢ１２１に登録されていない場合に、保護者の連絡先を入力させて、入力された連絡情報に基づいて、被保護者の画像を登録ＤＢ１２１から検索するようにしているが、これに限定されず、例えば、被保護者の連絡先情報と被保護者の撮影画像といずれを検索キーとして使用するかを指定入力させ、指定された方のデータを検索キーとして登録ＤＢ１２１を検索し、検索したデータに対応付けて登録されている被保護者の画像データを登録ＤＢ１２１から読み出して出力（情報掲示装置２への送信、各係員の携帯端末３に対する電子メールに添付して送信等）するようにしてもよい。
【００４９】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する、情報管理装置１、情報掲示装置２、携帯端末３、携帯端末４を構成してもよい。また、インターネット等のネットワーク上のサーバ装置が有するディスク装置に格納しておき、例えばコンピュータにダウンロード等するようにしてもよい。
また、上述の機能を、ＯＳが分担又はＯＳとアプリケーションの共同より実現する場合等には、ＯＳ以外の部分のみを媒体に格納して配布してもよく、また、コンピュータにダウンロード等してもよい。
【図面の簡単な説明】
【００５０】
【図１】本発明の実施形態に係る被保護者情報管理システムの構成例を示す図である。
【図２】図１の被保護者情報管理システムで用いられる情報管理装置の構成例を示すである。
【図３】登録ＤＢに登録される登録情報を説明するための図である。
【図４】迷子届出ＤＢに登録される迷子届出情報を説明するための図である。
【図５】迷子保護ＤＢに登録される迷子保護情報を説明するための図である。
【図６】登録処理を説明するためのフローチャートである。
【図７】迷子処理を説明するためのフローチャートである。
【図８】迷子メニュー画面の一例を示す図である。
【図９】迷子保護処理を説明するためのフローチャートである。
【図１０】迷子届出処理を説明するためのフローチャートである。
【符号の説明】
【００５１】
１・・・情報管理装置、１１・・・制御部、１２・・・記憶部、１２１・・・登録ＤＢ、１２２・・・迷子届出ＤＢ、１２３・・・迷子保護ＤＢ、１３・・・表示部、１４・・・入力部、１５・・・撮影部、１６・・・印刷部、１７・・・通信制御部、２・・・情報掲示装置、３・・・携帯端末、４・・・携帯端末
【図１】
2005301677.tif 000003
【図２】
2005301677.tif 000004
【図３】
2005301677.tif 000005
【図４】
2005301677.tif 000006
【図５】
2005301677.tif 000007
【図６】
2005301677.tif 000008
【図７】
2005301677.tif 000009
【図８】
2005301677.tif 000010
【図９】
2005301677.tif 000011
【図１０】
2005301677.tif 000012